(57)【要約】【課題】記録された情報の読み取りを不能としうるだけでなく、情報記録ディスクにおける基板と情報記録層等との少なくとも一部を、簡単に剥離させるか、または剥離容易な状態としうるようにした、情報記録ディスクの廃棄処理方法および装置を提供する。【解決手段】基板の表面または中間層に、情報記録機能を有する情報記録層を形成した情報記録ディスク２を、一端部の間隔Ｄ２を、情報記録ディスク２の厚さＴ０より小とし、かつ他端部の間隔Ｄ３を、一端部の間隔Ｄ２より大とした１対の非平行ローラー２３、２３間を通過させることにより、情報記録ディスク２の一部を波形に塑性変形させ、基板と情報記録層との少なくとも一部を剥離させるか、または剥離容易とする。【選択図】      図９
2010023428.tif 000002
【特許請求の範囲】
【請求項１】
基板の表面または中間層に、情報記録機能を有する情報記録層を形成した情報記録ディスクを、一端部の間隔を、前記情報記録ディスクの厚さより小とし、かつ他端部の間隔を、前記一端部の間隔より大とした１対の非平行ローラー間を通過させることにより、前記情報記録ディスクの一部を波形に塑性変形させ、前記基板と情報記録層との少なくとも一部を剥離させるか、または剥離容易とすることを特徴とする情報記録ディスクの廃棄処理方法。
【請求項２】
情報記録ディスクを、１対の非平行ローラー間を通過させるのに先だって、少なくとも一方のローラーの表面に、多数の突起を設けた１対の圧刻ローラー間を通過させることにより、情報記録ディスクの少なくとも一面に多数の凹部を形成し、情報記録ディスクに記録された情報を読み取り不能とすることを特徴とする請求項１記載の情報記録ディスクの廃棄処理方法。
【請求項３】
１対の非平行ローラーを、その一端部の間隔が、両ローラー間を通過させようとする情報記録ディスクの厚さより小、かつ他端部の間隔が、前記一端部の間隔より大となるようにして、支持フレームに枢支し、かつ前記支持フレームに、前記両ローラーの少なくともいずれか一方を回転させる駆動手段を設けたことを特徴とする情報記録ディスクの廃棄処理装置。
【請求項４】
１対の非平行ローラーへの情報記録ディスクの送り込み側に、少なくとも一方のローラーの表面に、多数の突起を設けた１対の圧刻ローラーを、前記情報記録ディスクの厚さとほぼ等しい間隔をもって、互いに平行をなすようにして、支持フレームに枢支し、かつ前記圧刻ローラーの少なくとも一方のローラを、駆動手段により回転させるようにしたことを特徴とする請求項３記載の情報記録ディスクの廃棄処理装置。
【請求項５】
非平行ローラーと圧刻ローラーとの軸間距離を、情報記録ディスクの直径より小としたことを特徴とする請求項４記載の情報記録ディスクの廃棄処理装置。
【請求項６】
情報記録ディスクを、非平行ローラーまたは圧刻ローラーへ向かって案内する案内板と、情報記録ディスクを、非平行ローラーまたは圧刻ローラーへ向かって移動させる移動手段とを有するディスク送り装置を、支持フレームに設けたことを特徴とする請求項３〜５のいずれかに記載の情報記録ディスクの廃棄処理装置。
【請求項７】
案内板および移動手段を、非平行ローラーまたは圧刻ローラーへ向かって、下向き傾斜させたことを特徴とする請求項６記載の情報記録ディスクの廃棄処理装置。
【請求項８】
ディスク送り装置の始端部に、複数の情報記録ディスクを積み重ねて収容しうるとともに、下端部における移動手段による情報記録ディスクの送り方向側の面に、１枚の情報記録ディスクのみの通過を許容する開口が設けられたディスク収容手段を設けたことを特徴とする請求項６または７記載の情報記録ディスクの廃棄処理装置。
【発明の詳細な説明】
【技術分野】
【０００１】
本発明は、光ディスクその他の、基板の表面または中間層に情報記録層を形成した情報記録ディスクの廃棄処理方法および装置に関する。
【背景技術】
【０００２】
従来のこの種の方法または装置としては、情報記録ディスクの表面に、物理的に傷を付けたり、情報記録ディスクを折曲したり、一部を破断したりすることにより、記録された情報の読み取りを不能とするようにしたものが一般的である(例えば特許文献１または２参照)。
【０００３】
また、光ディスクの外周部及び内周部を予め切除しておき、ロールミルの１対のローラの間に、光ディスクを１〜数回通して、記録された情報の破壊を行うとともに、金属反射層におけるディスク分離を行い、分離した光ディスクを、硝酸水溶液に２〜５分程度浸漬することにより前記金属反射層が除去された２枚の樹脂基板を得、これら樹脂基板に残った不要な層（接着層、オーバーコート層、印刷層など）を機械的に分離することにより、樹脂基板を純度よく回収することができるとともに、金属反射層が溶解した硝酸水溶液からは、電気分解等の手法により金属を回収しうるようにしたものもある(例えば特許文献３参照)。
【特許文献１】実用新案登録第３０３４８４７号公報
【特許文献２】特開２００４−３９０５９号公報
【特許文献３】特開２００７−２９６７９１号公報
【発明の開示】
【発明が解決しようとする課題】
【０００４】
しかし、前者は、記録された情報の読み取りを不能とするだけで、後者のように、基板や、情報記録層等に含まれる高価な成分を、再利用できるように回収しうるものではない。
また、後者は、基板や、情報記録層等に含まれる高価な成分を回収しうるものの、その処理作業が煩雑で、多くの時間と手間を要するという問題がある。
【０００５】
本発明は、従来の技術が有する上記のような問題点に鑑み、記録された情報の読み取りを不能としうるだけでなく、情報記録ディスクにおける基板と情報記録層等との少なくとも一部を、簡単に剥離させるか、または剥離容易な状態としうるようにした、情報記録ディスクの廃棄処理方法および装置を提供することを目的としている。
【課題を解決するための手段】
【０００６】
本発明は、発明者らの鋭意研究により、情報記録ディスクを、非平行とした１対のローラー間を通過させることにより、ローラー間の狭い部分を通過した情報記録ディスクの一部が波形に塑性変形し、その部分の情報記録層が、基板から剥離するか、または剥離容易な状態となっていることを発見したことに着目してなされたもので、その具体的な解決手段は、次の通りである。
【０００７】
(１)  情報記録ディスクの廃棄処理方法において、基板の表面または中間層に、情報記録機能を有する情報記録層を形成した情報記録ディスクを、一端部の間隔を、前記情報記録ディスクの厚さより小とし、かつ他端部の間隔を、前記一端部の間隔より大とした１対の非平行ローラー間を通過させることにより、前記情報記録ディスクの一部を波形に塑性変形させ、前記基板と情報記録層との少なくとも一部を剥離させるか、または剥離容易とする。
【０００８】
このような方法によると、情報記録ディスクを、１対の非平行ローラー間を通過させるだけで、その一部を波形に塑性変形させて、簡単に、情報記録層を基板から剥離させるか、または剥離容易とすることができ、記録された情報を読み取り不能としうるだけでなく、高価な材料を、容易に分別回収することができる。
【０００９】
(２)  上記(１)項において、情報記録ディスクを、１対の非平行ローラー間を通過させるのに先だって、少なくとも一方のローラーの表面に、多数の突起を設けた１対の圧刻ローラー間を通過させることにより、情報記録ディスクの少なくとも一面に多数の凹部を形成し、情報記録ディスクに記録された情報を読み取り不能とする。
【００１０】
このようにすると、情報記録ディスクの情報記録層に多数の孔が穿設され、記録された情報を読み取り不能としうるだけでなく、非平行ローラー間を通過させたときの情報記録層の剥離が助長されるとともに、剥離した情報記録層を化学的処理する際に、溶剤が浸透し易くなり、処理時間を短縮することができる。
【００１１】
(３)  情報記録ディスクの廃棄処理装置において、１対の非平行ローラーを、その一端部の間隔が、両ローラー間を通過させようとする情報記録ディスクの厚さより小、かつ他端部の間隔が、前記一端部の間隔より大となるようにして、支持フレームに枢支し、かつ前記支持フレームに、前記両ローラーの少なくともいずれか一方を回転させる駆動手段を設ける。
【００１２】
このような構成とすると、上記(１)項における情報記録ディスクの廃棄処理方法と同様の効果を奏することができるだけでなく、装置全体の構造を簡素化および小型化することができる。
【００１３】
(４)  上記(３)項において、１対の非平行ローラーへの情報記録ディスクの送り込み側に、少なくとも一方のローラーの表面に、多数の突起を設けた１対の圧刻ローラーを、前記情報記録ディスクの厚さとほぼ等しい間隔をもって、互いに平行をなすようにして、支持フレームに枢支し、かつ前記圧刻ローラーの少なくとも一方のローラを、駆動手段により回転させるようにする。
【００１４】
このような構成とすると、上記(２)項における情報記録ディスクの廃棄処理方法と同様の効果を奏することができるだけでなく、装置全体の構造を簡素化および小型化することができる。
【００１５】
(５)  上記(４)項において、非平行ローラーと圧刻ローラーとの軸間距離を、情報記録ディスクの直径より小とする。
【００１６】
このような構成とすると、情報記録ディスクは、進行方向の後端部が圧刻ローラーにより挟まれている状態で、前端部が非平行ローラー間に送り込まれるので、情報記録ディスクを、位置ずれ等を生じることなく、安定した状態で、確実に非平行ローラー間に送り込むことができる。
【００１７】
(６)  上記(３)〜(５)項のいずれかにおいて、情報記録ディスクを、非平行ローラーまたは圧刻ローラーへ向かって案内する案内板と、情報記録ディスクを、非平行ローラーまたは圧刻ローラーへ向かって移動させる移動手段とを有するディスク送り装置を、支持フレームに設ける。
【００１８】
このような構成とすると、情報記録ディスクを、適時に、安定して、確実に、非平行ローラーまたは圧刻ローラーへ送り込むことができるとともに、送り込み作業を容易に自動化することができる。
【００１９】
(７)  上記(６)項において、案内板および移動手段を、非平行ローラーまたは圧刻ローラーへ向かって、下向き傾斜させる。
【００２０】
このような構成とすると、案内板が下向き傾斜しているので、情報記録ディスクの重力による案内板と平行な方向の分力により、情報記録ディスクの送りが助長され、移動手段により、情報記録ディスクを、軽力で非平行ローラーまたは圧刻ローラーへ送り込むことができる。
【００２１】
(８)  上記(６)または(７)項において、ディスク送り装置の始端部に、複数の情報記録ディスクを積み重ねて収容しうるとともに、下端部における移動手段による情報記録ディスクの送り方向側の面に、１枚の情報記録ディスクのみの通過を許容する開口が設けられたディスク収容手段を設ける。
【００２２】
このような構成とすると、複数の情報記録ディスクを、ディスク収容手段に積み重ねておき、その下端のものから順に、移動手段により、１枚ずつ非平行ローラーまたは圧刻ローラーへ送り込むことができ、作業を容易に自動化することができる。
【発明の効果】
【００２３】
本発明によると、記録された情報の読み取りを不能としうるだけでなく、情報記録ディスクにおける基板と情報記録層等との少なくとも一部を、簡単に剥離させるか、または剥離容易な状態としうるようにした、情報記録ディスクの廃棄処理方法および装置を提供することができる。
【発明を実施するための最良の形態】
【００２４】
以下、本発明の情報記録ディスクの廃棄処理装置の一実施形態を、添付図面を参照して説明する。
図１および図２に示すように、この情報記録ディスクの廃棄処理装置は、上面における前後方向の中央部に、前方に向かって下向き傾斜する傾斜面１ａが形成された中空箱状の外装ケース１を備えている。
【００２５】
外装ケース１における傾斜面１ａの中央には、図９および図１０に示すような複数の情報記録ディスク２を、積み重ねて収容しうるようにしたディスク収容手段をなす筒体３が、傾斜面１ａと直交するようにして、外装ケース１内に埋設されている。
【００２６】
この装置により処理しうる情報記録ディスク２には、例えば、特許文献３に記載されているような、ＣＤ、ＣＤ−ＲＯＭ、ＣＤ−Ｒ、ＣＤ−ＲＷ、ＤＶＤ−Ｒ、ＤＶＤ−ＲＷ等の光ディスの他に、基板２ａの表面または中間層に情報記録機能を有する情報記録層２ｂを形成したあらゆるタイプの情報記録ディスクが含まれる。
【００２７】
ＣＤやＣＤ−ＲＯＭ等は、ポリカーボネート樹脂製の１枚の基板２ａの片面に、情報記録層２ｂとアルミニウム製の金属反射層(図示略)とを形成したものが一般的であり、ＣＤ−Ｒ、ＣＤ−ＲＷ、ＤＶＤ−Ｒ、ＤＶＤ−ＲＷ等は、ポリカーボネート樹脂製の２枚の基板間に、銀等からなる金属反射層と、有機色素やアモルファス金属等よりなる情報記録層と、接着剤層等とを重合したものが一般的である。
【００２８】
外装ケース１における傾斜面１ａより前方の水平面１ｂのほぼ中央には、操作盤４が設けられ、ここには、電源スイッチ(スタートスイッチ)５、および作動中であることや、異常が発生したこと等を表示する各種表示ランプ６等が設けられている。
外装ケース１の前面下端部には、処理された情報記録ディスク２の排出口７が設けられている。
【００２９】
図２に破線で示すように、外装ケース１内には、水平の底板８と、その上面より、外装ケース１の横幅より狭い間隔をもって立設された左右１対の側板９、９とを備える支持フレーム１０が配設されている。
【００３０】
図３に示すように、支持フレーム１０における両側板９、９間には、筒体３の下方において、傾斜面１ａと平行をなすように前下方に向かって傾斜し、筒体３内における最下段の情報記録ディスク２を、前下方に向かって案内する案内板１１が架設されている。
【００３１】
筒体３の下端部前面には、１枚の情報記録ディスク２のみの前方への通過を許容する開口３ａが、また筒体３の下端部後面には、上下寸法が開口３ａの上下寸法とほぼ同一であって、後述する移動手段１３におけるプッシャー１７が前後方向に通過可能とした開口３ｂが設けられている。
【００３２】
筒体３内の最下段の情報記録ディスク２を、前下方に向かって送るディスク送り装置１２は、上記案内板１１と、情報記録ディスク２を前下方に向かって移動させる移動手段１３とを備えている。
【００３３】
図３および図５に示すように、移動手段１３は、案内板１１の下面に、前後方向に摺動可能として装着した摺動体１４と、この摺動体１４の後端部より起立し、案内板１１の後部のほぼ中央に設けた前後方向を向くスリット１５を通って、案内板１１の上面側に達する上向き突片１６の上端に下面中央部が固着されたプッシャー１７と、摺動体１４の下面に設けた前後方向を向くラック１８と、正逆回転可能とした出力軸１９ａが左右方向を向くようにして、支持フレーム１０に固定された減速機構内蔵式のモータ１９と、このモータ１９の出力軸１９ａに固嵌され、ラック１８と噛合するピニオン２０とを備えている。
【００３４】
プッシャー１７は、情報記録ディスク２の外形と補形をなす平面視円弧状をなすとともに、前縁上面および後縁上面が、前方および後方に向かってなだらかに下向き傾斜し、かつ中央部分の最大板厚Ｔ１が、情報記録ディスク２の板厚Ｔ０とほぼ等しくなるようにしてある。
【００３５】
プッシャー１７における、図３に実線で示す後限から同じく２点鎖線で示す前限までの移動ストロークは、筒体３内の最下段の情報記録ディスク２の前端の位置から、次に説明する１対の圧刻ローラー２１、２１間の位置までの距離より大としてある。
【００３６】
図３および図６に示すように、外装ケース１内の前部であって、かつ案内板１１の前方への延長線の上下には、左右方向を向く上下１対の圧刻ローラー２１、２１が、情報記録ディスク２の厚さＴ０とほぼ等しい間隔Ｄ１をもって、かつ互いに平行をなすようにして、支持フレーム１０における両側板９、９間に枢支されている。
【００３７】
両圧刻ローラー２１、２１の表面には、図７に拡大して示すように、多数の微小な尖先状の突起２２が、適宜のパターンで設けられている。
なお、廃棄処理しようとする情報記録ディスク２が、基板２ａ(図１０参照)の片面のみに、情報記録層１ｂ(図１０参照)および金属反射層(図示略)等を形成したものである場合は、上下いずれか一方の圧刻ローラー２１の表面のみに、多数の突起２２を設けるだけとしてもよい。
【００３８】
図３および図８に示すように、外装ケース１内の前部であって、かつ案内板１１の前方への延長線上における１対の圧刻ローラー２１、２１よりさらに前方の上下には、左右方向を向く上下１対の非平行ローラー２３、２３が、互いに非平行をなすようにして、支持フレーム１０における両側板９、９間に枢支されている。
【００３９】
図８に示すように、非平行ローラー２３、２３の右方の端部の間隔Ｄ２は、両ローラー２３、２３間を通過させようとする情報記録ディスク２の厚さＴ０より小とし、同じく左方の端部の間隔Ｄ３は、右方の端部の間隔Ｄ２より大としてある。
間隔Ｄ２は、例えば、情報記録ディスク２の厚さＴ０の１／２〜１９／２０とするのが好ましく、間隔Ｄ３は、例えば、情報記録ディスク２の厚さＴ０と等しいか、または若干大(Ｔ０〜Ｔ０＋α)となるようにするのが好ましい。
また、非平行ローラー２３、２３の表面は、摩擦係数を高めるため、粗面としたり、高摩擦係数の材料をコーティングする等の表面処理を施すのが好ましい。
【００４０】
１対の圧刻ローラー２１、２１と１対の非平行ローラー２３、２３との軸間距離Ｄ４は、情報記録ディスク２の直径Ｌより小としてあり、それによって、情報記録ディスク２は、進行方向の後端部が圧刻ローラー２１、２１により挟まれている状態で、前端部が非平行ローラー２３、２３間に送り込まれるので、情報記録ディスク２を、位置ずれ等を生じることなく、安定した状態で、確実に非平行ローラー２３、２３間に送り込むことができるようになっている。
さらに、圧刻ローラー２１、２１と非平行ローラー２３、２３の外径は、すべて同一としておくのが好ましい。
【００４１】
図４に示すように、支持フレーム１０における右方の側板９を貫通した下方の圧刻ローラー２１の軸２１ａ、および同じく側板９を貫通した下方の非平行ローラー２３の軸２３ａには、平歯車よりなる従動ギヤ２４、２５が固嵌されている。
両従動ギヤ２４、２５は、右方の側板９の内面に固着された減速機構内蔵式のモータ２６における上記側板９を貫通してその外側方に突出する出力軸２６ａの外端部に固嵌した、平歯車よりなる駆動ギヤ２７と噛合し、モータ２６の作動により、互いに同期して、同方向に回転させられるようになっている。
【００４２】
次に、上記の装置の作用および取り扱いとともに、本発明の情報記録ディスクの廃棄処理方法の実施要領について、主として図９を参照して、説明する。
まず、筒体３内に、複数の情報記録ディスク２を積み重ねて収容しておき、その状態で、電源スイッチ５をオンにする。
【００４３】
すると、モータ２６が作動させられ、その回転力が、出力軸２６ａから駆動ギヤ２７および従動ギヤ２４、２５を介して、下方の圧刻ローラー２１と下方の非平行ローラー２３とに伝達され、それらが同期して、情報記録ディスク２を排出口７に向かって送り出す方向に回転させられる。
【００４４】
また、図３に実線で示すように、プッシャー１７が後限に位置していることを位置センサ(図示略)が検出していると、モータ１９が、予め定めた正転方向に作動させられ、ピニオン２０とラック１８とを介して、摺動体１４が、案内板１１の下面に沿って前進させられ、それに伴ってプッシャー１７も前進させられ、その前縁で筒体３内の最下段の情報記録ディスク２のみが前方に向けて押動される。
【００４５】
プッシャー１７における、図３に実線で示す後限から、同じく２点鎖線で示す前限までの移動ストロークは、筒体３内の最下段の情報記録ディスク２の前端の位置から、１対の圧刻ローラー２１、２１の間の中間位置までの距離より大としてあるので、プッシャー１７が、図３に２点鎖線で示す前限に到達する以前に、情報記録ディスク２の前端部は、１対の圧刻ローラー２１、２１間に確実に挟まれる。
【００４６】
情報記録ディスク２の前端部が、１対の圧刻ローラー２１、２１間に挟まれると、下方の圧刻ローラー２１がモータ２６により回転させられているので、情報記録ディスク２は、前下方に向かって引き込まれつつ、上下の圧刻ローラー２１、２１の表面に設けられた多数の突起２２により、上下両面(または片面)に多数のテーパー孔状、または倒立角錐孔状等の凹部２８(図９参照)が、所定のパターンで形成される。
【００４７】
このとき、情報記録ディスク２の情報記録層１ｂには凹部２８の一部をなす多数の孔が形成され、それによって、情報記録ディスク２に記録された情報が読み取り不能となるとともに、次の行程において、非平行ローラー２３、２３間を通過するときの情報記録層２ｂの剥離が助長される。
さらに、剥離した情報記録層２ｂを化学的処理する際に、この多数の孔に溶剤が浸透し、処理時間を短縮することができる。
【００４８】
１対の圧刻ローラー２１、２１間より前下方に向かって送り出された情報記録ディスク２は、進行方向の後端部が圧刻ローラー２１、２１により挟まれている状態で、前端部が非平行ローラー２３、２３間に送り込まれる。
したがって、情報記録ディスク２は、位置ずれ等を生じることなく、安定した状態で、確実に非平行ローラー２３、２３間に送り込まれる。
【００４９】
１対の非平行ローラー２３、２３間を通過する間に、情報記録ディスク２は、１対の非平行ローラー２３、２３の一端部の間隔Ｄ２を、情報記録ディスク２の厚さＴ０より小としてあることにより、局部的に圧潰されつつ前方に送られ、結果として、図９および図１０に示すように、一部の周縁が波形に塑性変形させられて、その部分の、特に谷側の屈曲部分の情報記録層２ｂが、基板２ａから剥離させられるか、または剥離容易な状態となり、その状態で、排出口７から装置の前下方へ排出される。
【００５０】
図１０に示す情報記録ディスク２は、例えば、ＣＤやＣＤ−ＲＯＭ等のように、ポリカーボネート樹脂製の１枚の基板２ａの片面に、情報記録層２ｂとアルミニウム製の金属反射層(図示略)とを形成したものであるが、例えばＣＤ−Ｒ、ＣＤ−ＲＷ、ＤＶＤ−Ｒ、ＤＶＤ−ＲＷ等のように、ポリカーボネート樹脂製の２枚の基板間に、情報記録層、金属反射層、接着剤層等を、重合して接着したタイプのものにおいては、周縁が波形に塑性変形させられた部分において、２枚の基板が互いに離間し、その間の情報記録層２ｂ等が外部に露呈した状態となる。
【００５１】
プッシャー１７が前限に達したことを位置センサ(図示略)が検出すると、モータ１９が、逆転作動させられ、それによって、プッシャー１７は、案内板１１に沿って後方へ復帰移動させられ、プッシャー１７が後限に達っすると、下から第２段目の情報記録ディスク２、およびその上に載置されたすべての情報記録ディスク２が、それぞれ一段ずつ下降し、元の第２段目の情報記録ディスク２が最下段となる。
【００５２】
プッシャー１７が後限に達っしたことを位置センサ(図示略)が検出すると、モータ１９の作動態様が、正転方向に切り換えられ、プッシャー１７は、再度前進させられ、第１回目の作動と同様の作動が、順次繰り返される。
【００５３】
排出口７から排出された処理済みの情報記録ディスク２は、一旦収容ボックス(図示略)に収容した後、次行程に搬送するか、またはベルトコンベヤ等の移送手段により、直接次行程に搬送し、情報記録層２ｂ等を、基板２ａから剥離した、または剥離容易となった部分を手掛かりに、基板２ａから完全に剥離し、それを溶剤に浸漬して、そこから必要な成分を回収したり、基板２ａも溶剤に浸漬して、表面に残存している情報記録層等の一部を完全に除去し、基板２ａの素材であるポリカーボネート樹脂を回収したりすることができる。
【００５４】
基本的な作動は以上の通りであり、その他に、筒体３内の情報記録ディスク２がなくなったことをセンサ(図示略)が検知したとき、モータ１９、２６の作動を停止させるとともに、表示ランプ６のひとつの警報ランプを点灯させたり、モータ１９、２６の負荷が、予め設定した値を超えたとき、表示ランプ６のひとつの別の警報ランプを点灯させたり、または、モータ２６が作動している間は、表示ランプ６のひとつの作動確認ランプを点灯させたりする機能を付加するのが好ましい。
【００５５】
以上から明らかなように、本発明の情報記録ディスクの廃棄処理方法および装置によると、記録された情報の読み取りを不能としうるだけでなく、情報記録ディスク２における基板２ａと情報記録層２ｂとの少なくとも一部を、簡単に剥離させるか、または剥離容易な状態とすることができる。
【００５６】
なお、本発明は、上記実施形態のみに限定されるものではなく、例えば、次のような幾多の変形した態様での実施が可能である。
(１)  上記実施形態においては、圧刻ローラー２１、２１および非平行ローラー２３、２３の一方のみをモータ２６により駆動し、他方はフリーとしてあるが、図３における従動ギヤ２４、２５の上方において、上方の圧刻ローラー２１の軸２１ａおよび上方の非平行ローラー２３の軸２３ａに、従動ギヤ２４、２５と噛合する第２の従動ギヤ(図示略)を固嵌し、圧刻ローラー２１、２１および非平行ローラー２３、２３の両方をモータ２６により駆動するようにする。
(２)  案内板１１およびそれに関連する情報記録ディスク２の送り方向が水平となるように、外装ケース１内の部材の向きをすべて変更する。
(３)  圧刻ローラー２１、２１を省略して実施する。
(４)  摺動体１４、スリット１５、上向き突片１６、ラック１８、ピニオン２０を、それぞれ左右１対ずつ設け、左右の上向き突片１６により、プッシャー１７の両側端部を支持するとともに、左右のピニオン２０を、モータ１９の出力軸１９ａの延長部分に、左右１対として固嵌する。
このようにすると、プッシャー１７の支持が安定する。
【図面の簡単な説明】
【００５７】
【図１】本発明の情報記録ディスクの廃棄処理装置の外観斜視図である。
【図２】同じく、正面図である。
【図３】図２のIII−III線に沿う縦断正面図である。
【図４】図２のIV−IV線に沿う縦断正面図である。
【図５】図４のV−V線に沿う断面図である。
【図６】図３のVI−VI線に沿う拡大断面図である。
【図７】図６のVII部の部分拡大図である。
【図８】図３のVIII−VIII線に沿う拡大断面図である。
【図９】情報記録ディスクの廃棄処理作業の流れを模式的に示す斜視図である。
【図１０】図９のX−X線に沿う拡大断面図である。
【符号の説明】
【００５８】
１  外装ケース
１ａ傾斜面
１ｂ水平面
２  情報記録ディスク
２ａ基板
２ｂ情報記録層
３  筒体(ディスク収容手段)
３ａ、３ｂ  開口
４  操作盤
５  電源スイッチ
６  表示ランプ
７  排出口
８  底板
９  側板
１０  支持フレーム
１１  案内板
１２  ディスク送り装置
１３  移動手段
１４  摺動体
１５  スリット
１６  上向き突片
１７  プッシャー
１８  ラック
１９  モータ
１９ａ出力軸
２０  ピニオン
２１  圧刻ローラー
２１ａ軸
２２  突起
２３  非平行ローラ
２３ａ軸
２４、２５  従動ギヤ  
２６  モータ
２６ａ出力軸
２７  駆動ギヤ
２８  凹部
Ｔ０  情報記録ディスクの板厚
Ｔ１  プッシャーの最大板厚
Ｄ１  圧刻ローラー間の間隔
Ｄ２  非平行ローラの一端部間の間隔
Ｄ３  非平行ローラの他端部間の間隔
Ｄ４  圧刻ローラーと非平行ローラーとの軸間距離
Ｌ  情報記録ディスクの直径Ｌ
【図１】
2010023428.tif 000003
【図２】
2010023428.tif 000004
【図３】
2010023428.tif 000005
【図４】
2010023428.tif 000006
【図５】
2010023428.tif 000007
【図６】
2010023428.tif 000008
【図７】
2010023428.tif 000009
【図８】
2010023428.tif 000010
【図９】
2010023428.tif 000011
【図１０】
2010023428.tif 000012